(57)【要約】【課題】垂直磁気記録媒体で使用される軟磁性層内に混入した磁壁を排除することによって、磁壁由来の媒体ノイズを抑える。【解決手段】磁気記録装置において軟磁性層を飽和させるのに必要な大きさで、かつ記録層の磁気情報を破壊しない程度の磁界を媒体内軟磁性層に印加する手段を設け、軟磁性層に混入した磁壁を排除する。【選択図】図２
2004145939.tif 000002
【特許請求の範囲】
【請求項１】
円板状の基板、磁気記録層、すくなくとも１層以上の軟磁性層、すくなくとも１層以上の中間層および保護膜からなるディスク基板、ディスク基板を回転運動させるための駆動系、磁気記録層に情報を磁気的に書き込む記録ヘッドと磁気記録層からの磁気情報を検出する再生ヘッドを搭載した磁気ヘッド部、磁気ヘッド部をディスク基板近傍に保持するための保持手段、磁気ヘッド部と保持手段を移動するためのヘッド駆動手段、磁気ヘッド部のための電子回路系、および全体を保持するためのケース部よりなる磁気記録装置において、ディスク基板内の軟磁性層に磁界を印加する磁界印加手段を付加したことを特徴とする磁気記録装置。
【請求項２】
請求項１記載の磁気記録装置において、上記磁界印加手段は、その発生する磁界がほぼディスク基板内で、かつディスク基板半径方向からすくなくとも±９０°以内の方向に磁界を印加し、かつ磁界印加手段からの磁界強度が記録層の磁気情報には影響を与えず軟磁性層のみを磁気的に飽和させるように設定されることを特徴とする磁気記録装置。
【請求項３】
請求項２記載の磁気記録装置において、永久磁石のみの磁界印加手段、あるいは永久磁石と磁路で構成された磁界印加手段を使用することを特徴とする磁気記録装置。
【請求項４】
請求項２記載の磁気記録装置において、磁界印加手段として電磁石を使用することを特徴とする磁気記録装置。
【請求項５】
請求項２記載の磁気記録装置において、磁界印加手段として電磁石を使用し、その電磁石を磁気ヘッド部に密着配置したことを特徴とする磁気記録装置。
【請求項６】
請求項１記載の磁気記録装置において、磁界印加手段として永久磁石あるいは電磁石を使用し、その永久磁石あるいは電磁石を磁気ヘッド部保持手段に固定したことを特徴とする磁気記録装置。
【発明の詳細な説明】
【０００１】
【発明の属する技術分野】
本発明は垂直磁気記録装置に関するものであり、特に垂直磁気記録媒体の軟磁性層由来のノイズを低減した磁気記録装置を提供することにある。
【０００２】
【従来の技術】
ハードディスク装置では、現在のところ面内磁気記録方式が主流であるが、今後、磁気記録密度がさらに上昇すると垂直磁気記録方式に移行することが予想されている。これは垂直磁気記録方式が面内磁気記録方式と比べて（１）高記録密度時の記録減磁が少なこと、（２）１ビットに対応する記録媒体の体積が大きいので熱減磁を抑えることができること等が理由になっている。
【０００３】
通常、垂直磁気記録媒体は基板、下地層、軟磁性層、中間層、磁気記録層、保護膜から構成される。ここで、上記軟磁性層は磁気記録ヘッド（単磁極記録ヘッド）からの磁界が磁気記録層で広がらないようにするために使用されている。
【０００４】
磁気ヘッドに対して軟磁性層の透磁率を上げるため、一般的に図１（ａ）に示すように軟磁性層の磁化２はディスク１の半径方向（図１（ａ）では外周方向）を向くように作製する。このとき軟磁性層外周には正の磁極３が生じ、膜面中心部付近に負の磁極４が生じる。一方、軟磁性層には容易に磁壁が入り込む性質があり、また磁壁は軟磁性層内を容易に動くことができる。
【０００５】
いま、半径ｒ０からｒ１（ディスクの半径ｒ１＞ｒ０）まで軟磁性層が膜厚ｔで成膜されているとすると、軟磁性膜端部ｒ０、ｒ１の位置で生じる磁極量は−２πｒ０ｔＭ、２πｒ１ｔＭとなり、その差２π（ｒ１−ｒ０）ｔＭを打ち消す−２π（ｒ１−ｒ０）ｔＭが軟磁性層内で生じることになる。ここで、Ｍは飽和磁化である。
【０００６】
半径ｒの位置での磁極量は、仮想的にｒからｒ＋ｄｒまで軟磁性層が消失した場合を考えると理解できる。このとき半径ｒの端部での磁極の総量は２πｒｔＭであり、ｒ＋Δｒの端部での磁極の総量は−２π（ｒ＋Δｒ）ｔＭである。これより、ｒからｒ＋Δｒまで軟磁性層内に誘起される磁極の総量Δρは−２πΔｒｔＭと求められる。
【０００７】
そこで、Δｒがゼロの極限を考えると、半径ｒでの磁極量の変化分は、
ｄρ（ｒ）／ｄｒ＝−２πｔＭ　　　　　　　　　　　……（１）
となる。これより、軟磁性層端部以外で生じる磁極の総量は
ρ（ｒ１）−ρ（ｒ０）＝２πｔＭ（ｒ０−ｒ１）　　……（２）
と計算でき、端部の磁極量との和がゼロとなることが分かる。
【０００８】
上記（１）式のように、軟磁性層内部および端部に磁極が生じると、反磁界５が軟磁性層の磁化２と反平行（内周方向）に生じ、軟磁性層の静磁エネルギを増加させ、エネルギ的に不安定な状態となる。
【０００９】
軟磁性層は記録ヘッドからの磁場、浮遊磁場、熱等の刺激により容易に磁化分布（磁区構造）が変化する。その結果、静磁エネルギを減少させるように、軟磁性層の磁化２が再配列をおこし、図１（ｂ）に示すように逆磁区６が生じる。ただし、磁区と磁区の境界は磁壁７とよばれ磁壁７のエネルギを蓄えるので、静磁エネルギの減少が磁壁７のエネルギの増加を上回らないように磁化分布の再配列が生じることになる。
【００１０】
ここで、逆磁区６は通常最外（内）周から発生する。これは、逆磁区が円周に沿ってできたほうが円周から離れてできた場合に比べて、磁壁の面積が少なくなるためである。また、円周には磁極が生じているので、静磁エネルギがそこで高くなっており、逆磁区を作るドライビングフォースが高くなっているためである。
【００１１】
磁壁は磁化の遷移領域であり、磁壁近傍では磁界が生じている。このため、軟磁性層に磁壁があると、再生ヘッドが磁壁直上を移動するとき、磁壁からの磁界を読み込み、誤信号を検出することになる。このため、磁気記録装置の信頼性が低減し、最悪使用不能の事態に陥る。
【００１２】
【発明が解決しようとする課題】
本発明が解決しようとする課題は、磁気記録媒体内の軟磁性層内の磁壁を排除し、磁壁由来の媒体ノイズを抑えることである。
【００１３】
【課題を解決するための手段】
上記課題は、円板状の基板、磁気記録層、すくなくとも１層以上の軟磁性層、すくなとも１層以上の中間層、保護膜からなるディスク基板、ディスク基板を回転運動させるための駆動系、磁気記録層に情報を磁気的に書き込む記録ヘッドと磁気記録層からの磁気情報を検出する再生ヘッドを搭載した磁気ヘッド、磁気ヘッドをディスク基板近傍に保持するための保持手段、磁気ヘッド部と保持手段を移動するためのヘッド駆動手段、磁気ヘッド部のための電子回路系、および全体を保持するためのケース部よりなる磁気記録装置において、ディスク基板に磁界を印加する磁界印加手段を付加したことを特徴とした磁気記録装置によって解決することができる。
【００１４】
図２にその一例を示す。図ではディスク１、磁気ヘッド８、磁気ヘッドをディスク近傍に保持するためのアーム９、ディスク１に磁界を印加する磁石１０を示し、その他駆動系、電子回路系等は省いている。軟磁性層の異方性は半径方向に付与しており、軟磁性層の磁化２は外周方向を向いている。磁石１０以外は通常の磁気記録装置（ハードディスク装置）である。磁石１０は縦長の形状とし、その短い辺と平行に磁化されているとする。また、その長辺は半径方向から若干オフセット（図では左側）して磁極がディスク１の面上すれすれになるように配置する。
【００１５】
その磁石１０およびディスク１の断面図を同図（ｂ）に示す。ディスク１は、ディスク基板１３、下地層１４、軟磁性層１５、中間層１６、記録層１７、保護層１８などからなっている。上記の構成によれば、磁石１０から出た磁束はそのほとんどが透磁率の高い軟磁性層を通り、磁石１０にまた戻る。このとき、磁石１０から記録層に印加される磁界（磁束）は記録層の情報に影響を与えないくらい十分小さいものとする。通常軟磁性層の保磁力は数十エルステッド以下であり、記録層の保磁力は数キロエルステッドであるので、軟磁性層の位置での磁界の強さを数〜数百エルステッドの範囲内とすると、上記の条件を満足することができる。
【００１６】
磁石１０の作用を図３で説明する。図３（ａ）は軟磁性層の磁化２が外周方向を向き、理想的な配置をとっている場合である。このときディスク１上の一点Ａに注目する。ディスク１が図の反時計方向に回転するものとすると、Ａ点はｔ１時間後には図中磁石１０直下のＡ’点にｔ２時間後には磁石１０を通り過ぎＡ’’点に移動する。このときＡ点上の外周方向を向いている磁化の時間変化を見ると、ｔ１時間後には磁石１０直下にくるため磁化２は磁石１０の磁界Ｈ（図中左方向）にさらされる。磁界Ｈはいま軟磁性層の磁化を飽和させるのに十分な大きさをもっているので、軟磁性層の磁化２は右回りで磁界Ｈの方向を向くことになる。
【００１７】
磁石は半径方向から若干左にオフセットしているので、磁界Ｈの方向と外周方向となす角度は必ず９０°以下になり、磁化は右回りにトルクを受けその方向へ回転する。さらに時間がすすむと磁化２の磁石１０から受ける磁界Ｈは急激に減少し、それに伴い磁化２は容易軸方向である外周方向へ回転する。ｔ２時間後の磁石１０から十分離れたＡ’’点では磁化２はもとの異方性の方向である外周方向を向く。
【００１８】
つまり、磁石１０の磁界は軟磁性層の磁化２になにも影響を与えないことになる。一方、何かの理由で軟磁性層の磁化２が内周方向を向いた場合を考える。図３（ｂ）に示したようにＡ点では磁化２は内周方向（内周方向も容易方向）を向いている。図３（ａ）の場合と同様に、ｔ１時間後磁化２は磁石１０の磁界の影響を受け磁界方向へ回転する。このとき図から分かるように磁化は左回りに回転し、磁界方向を向く。この状態は図（ａ）のｔ１時間後の状態と同じであることに注意すると、これ以降磁化２は図（ａ）と同じ振る舞いをすることが分かる。
【００１９】
すなわち、最初内周方向を向いた磁化が存在しても磁石１０によってその方向が外周方向へ回転することになる。このとき磁壁は磁化の回転によって消滅するか、または磁石の図中右側に押しやられることになる。磁壁が消滅しない場合でも磁石を通り過ぎることはない。
【００２０】
以上より、図３の磁石１０の右側は磁壁のない領域になり、この領域の近傍に磁気ヘッドを配置することによって軟磁性層内の磁壁に由来した媒体ノイズを抑えることが可能となる。
【００２１】
【発明の実施の形態】
（実施例１）
本発明の実施例を図４により説明する。図４は磁気記録装置の鳥瞰図であり、ディスク１、磁気記録再生ヘッド８、アーム９、ヘッド駆動系１９、ディスク１に磁界を印加するための永久磁石２０が示されている。ただし、ディスク基板１の駆動系、電子回路系、ケース等は省いている。永久磁石としてはフェライト磁石、希土類磁石、ＮｄＦｅＢ磁石等を使用する。ディスク基板１は円板状の基板、すくなとも１層以上の中間層、すくなくとも１層以上の軟磁性層、中間層、磁気記録層、保護膜等からなっている。軟磁性層の異方性は半径方向に付与しており、軟磁性層の磁化は外周または内周方向を向いている。
【００２２】
磁石１０は縦長の形状とし、その短い辺と平行に磁化されており、その方向に磁界が生じる。また、その長辺はディスク基板の半径方向から若干オフセットさせ、かつ永久磁石２０の磁極がディスク基板１の面上すれすれになるように配置されている。
【００２３】
軟磁性層内に生じた逆磁区、磁壁に対する効果は上述のとおりである。ここで、図４の実施例では軟磁性層に磁界を印加する手段として永久磁石２０を使用したが、電磁石を使用しても同様の効果を期待できる。
（実施例２）
本発明の実施例を図５および図６により説明する。図５（ａ）は本実施例の磁気記録装置の概観図であり、ディスク１、記録再生磁気ヘッド８、アーム９、ヘッド駆動系１９、軟磁性層への磁界印加手段である永久磁石２０と磁路２１が示されている。その他電子回路系、ディスク駆動系、ケース等は図示を省いている。永久磁石２０としてはフェライト磁石、希土類磁石、ＮｄＦｅＢ磁石等を使用し、磁路２１としては高透磁率材料であるパーマロイ、純鉄、スーパーマロイ、センダスト、ソフトフェライト等を使用する。
【００２４】
本実施例は実施例１とほぼ同様のものであり、図４の永久磁石２０を図５の永久磁石２０と磁路２１で構成した磁界印加手段で置き換えたものである。この磁界印加手段で軟磁性層に磁界を印加する様子は図５（ｂ）に示した。永久磁石２０は図中上下逆向きに磁化されており、ディスク１の外周に配置されている。
【００２５】
磁路２１は永久磁石２０からの磁束２２をディスク外周から内周へ導く。内周へ導かれた磁束２２はディスク１内の透磁率の高い軟磁性層を通り、外周にいたる。外周まできた磁束は磁路２１に入り、還流することになる。このとき軟磁性層に磁束が通るので（磁界が印加されるので）、その磁束（磁界）が軟磁性層の磁化を飽和するのに十分であれば、磁化はディスク１の外周方向を向くことになる。以上により、軟磁性層内の磁化は強制的にディスク１の外周方向へ向けられることになる。これによって、図１（ｂ）のような逆磁区、あるいは磁壁が存在しても磁界印加手段を通り過ぎるとき強制的に排除されることになる。
【００２６】
本実施例では、磁束２２は軟磁性層内でディスク１の外周方向へ向いているが、内周方向でも同様の作用をする。つまり永久磁石２０の磁化１１が逆方向になっても得られる効果は同じである。
【００２７】
また、永久磁石は図５（ｂ）以外の磁路中に置いてもよい。その一例を図６（ａ）に示す。この実施例では永久磁石２０を２個使用しているが、３個以上の永久磁石を使用してもよい。また、１個の永久磁石２０を使用した例を図６（ｂ）に示す。この場合も上記と同様の効果を示す。
【００２８】
本実施例では軟磁性層に磁界を印加する手段として永久磁石２０を使用したが、電磁石を使用しても同様の効果を期待できる。
【００２９】
さらに、永久磁石を使用しない特別な例を図６（ｃ）に示す。この場合、ディスク１内の軟磁性層がディスク内外周に作る正負の磁極（図１（ａ）参照）が、近傍の磁路２１上に反対符号の磁極を誘起する。磁路２１の透磁率が十分高いと軟磁性層の磁極と同量の反対符号の磁極が磁路２１に誘起されるので、軟磁性層内に生じている反磁界（図１（ａ）参照）はほぼキャンセルすることができる。
【００３０】
ただし、一度図１（ｂ）に示す逆磁区が発生すると、その逆磁区を消滅させるようには作用せず、現状の磁区状態を安定化させる働きをする。このため、初期状態として軟磁性層に逆磁区が入っていないことが必要である。また、軟磁性層に逆磁区が入る可能性を減少させるため、ディスク１の大部分を覆うように磁路２１の面積を広げたほうがよい。ディスク１を高透磁率材（磁路２１）で囲むと、高透磁率材（磁路２１）は磁気シールドの働きをするので、外部の磁界によって軟磁性層に逆磁区が入ることを防ぐことが可能となる。
（実施例３）
本発明の他の実施例を図７により説明する。実施例２ではディスク１が１枚の場合について示したが、本実施例はディスクが２枚の場合である。その構成は実施例２とほぼ同じであり、違いは永久磁石２０と磁路２１を２枚のディスク用に変えたのみである。
【００３１】
図７（ａ）は永久磁石２０を２個使用し、ディスク１の外周から発生する磁束を内周に導く磁路２１を上下に２個用意したものである。図７（ｂ）は永久磁石２０を４個を用い、ディスク１の外周から発生する磁束２２を内周に導く磁路２１を上、中、下に３個用意したものである。
【００３２】
本実施例による効果は実施例２の効果と同様である。また、実施例２と同様に永久磁石２０の個数を３個以上にすることも可能であり、その配置も図６（ａ）、（ｄ）のようにすることもできる。さらに、図６（ｃ）のように永久磁石２０を使用せず、磁路２１のみを使用することも可能である。
【００３３】
本実施例では軟磁性層に磁界を印加する手段として永久磁石２０を使用したが、電磁石を使用しても同様の効果を期待できる。
（実施例４）
本発明の他の実施例を図８により説明する。図８は磁気記録装置の鳥瞰図であり、ディスク１、磁気記録再生ヘッド８、アーム９、ヘッド駆動系１９、軟磁性層に磁界を印加するための永久磁石２０が示されている。ただし、ディスク１の駆動系、電子回路系、ケース等は図示を省いている。永久磁石２０はフェライト磁石、希土類磁石、ＮｄＦｅＢ磁石等を使用したドーナツ状の円板とし、ディスク１の外側と内側に配置している。永久磁石２０の磁化１１はディスク１内の軟磁性層の磁化方向と一致するように外周、あるいは内周方向に向ける（図では外周方向としている）。
【００３４】
外側に配置する永久磁石２０の厚さはほぼディスク１の厚さと等しくし、ディスク１と同心円配置とする。さらにディスク１面と永久磁石２０面を平行に配置する。こうすることによって、磁気記録再生ヘッド８、アーム９の移動を妨げることなくスムースな移動を可能とする。また、永久磁石２０を磁気記録再生ヘッド８の退避場所としても使用することができる。永久磁石２０を磁気記録再生ヘッド８の退避場所として使用する場合、その表面に保護膜を塗布する、退避治具を付加する等の加工を必要とする。
【００３５】
本実施例では実施例２，３で使用していた磁路２１は省いている。これは磁路２１を省いても逆磁区（磁壁）を生じさせない効果を期待できることによる。図８は軟磁性層外周に正の磁極が生じている場合を示しているが、その正の磁極をほぼ相殺する負の磁極が永久磁石２０の内周に生じるように永久磁石２０の残留磁化を決めている。このとき、軟磁性層外周付近の正の磁極と永久磁石２０内周に現れる負の磁極が作る磁界とほぼ相殺する。その代わり永久磁石２０外周に現れる正の磁極が作る磁界が軟磁性層に作用することになる。この磁界は永久磁石２０がない場合と比べ、磁極が永久磁石２０の幅（永久磁石外周と内周の差の半分）だけ遠ざかったことにより、その強度が弱まる。この磁界の減少によって静磁エネルギも減少し、逆磁区を生じにくい状況となる。
【００３６】
ただし、永久磁石２０内の静磁エネルギはその外周の磁極によって増大する。しかし、永久磁石２０は通常大きな保磁力をもっているため、永久磁石２０内の磁化分布を変えることはない。以上のような状況はディスク１内周側でも同様である。また、磁路を実施例２、３と同様に付加すると、磁極により生じる磁束を磁路で外周から内周へ（あるいは内周から外周へ）導くことができる。このため、軟磁性層に印加されていた反磁界が消失するので、さらに軟磁性層の磁化分布は安定化し、逆磁区を生じさせない効果が大きくなる。
【００３７】
図８（ｃ）に永久磁石２０の他の例として、ドーナツ状円板２３の円板面に永久磁石薄膜２４を成膜したものを示す。永久磁石薄膜２４の磁化はディスク外周方向、または内周方向とする。また、本実施例では軟磁性層に磁界を印加する手段として永久磁石２０を使用したが、電磁石を使用しても同様の効果を期待できる。
（実施例５）
本発明の他の実施例を図９により説明する。図９は本実施例の断面図であり、ディスク１と軟磁性層への磁界印加手段を主に示したものである。本実施例は実施例４に磁路２１を付加した構成であり、高透磁率材のケース２５、ディスク基板固定治具２６を磁路２１の一部として使用している。すなわち、磁界印加手段は永久磁石２０、磁路２１、ケース２５、ディスク基板固定治具２６から構成され、本図の例では磁束をディスク外周から内周へ還流させている。その効果は上記実施例と同様である。また、本実施例では軟磁性層に磁界を印加する手段として永久磁石２０を使用したが、電磁石を使用しても同様の効果を期待できる。
（実施例６）
本発明の他の実施例を図１０により説明する。本実施例は軟磁性層に磁界を印加する手段を磁気ヘッドに搭載したことを特徴とする。ディスクと磁気ヘッドの断面図を図１０（ａ）に示す。ディスクはディスク基板１３、下地層１４、軟磁性層１５、中間層１６、記録層１７、保護層１８から構成されている。磁気ヘッドは、スライダー２７の片側に記録ヘッド２８と再生ヘッド２９を、その反対側に電磁石３０を取りつけた構成である。図中示した軟磁性層の磁化２の方向はディスク１の外周、または内周方向と一致する。
【００３８】
電磁石３０から発生する磁界は、軟磁性層の磁化２の方向に印加されるように配置されている。このとき図の左右方向がトラック方向である。電磁石３０をトラック方向から見た概観を同図（ｂ）に示す。磁路２１にコイル３１を巻いた構成であり、ディスク１側（図の下側）に磁路２１の両端が配置されている。コイル３１に電流を流すと、磁路２１の両端部から磁界が左、または右向き（軟磁性層の磁化２の向き）に発生する。
【００３９】
図１０（ａ）で、ディスク１は左から右へ回転するので、電磁石３０で軟磁性層が磁化されたのち、その部分は再生ヘッド２９、記録ヘッド２８の真下を通過することになる。これによって、記録再生する際、必ず電磁石３０で軟磁性層が一方向に磁化されるので、逆磁区（磁壁）が再生ヘッド直下を通り過ぎることはなく、軟磁性層由来のノイズの影響を排除することが可能となる。
【００４０】
本実施例では軟磁性層に磁界を印加する手段として電磁石３０を使用したが、図１０（ｂ）のコイル３１は取り除き、磁路２１の代わりに永久磁石を付加することによっても同様の効果を期待できる。
（実施例７）
本発明の実施例を図１１により説明する。本実施例は軟磁性層に磁界を印加する手段を、磁気ヘッドを保持する手段に組み込んだことを特徴とする。図１１（ａ）は磁気ヘッドとディスクの断面図であり、図ではアーム９にサスペンション３２を介してスライダー２７が固定されている。スライダー２７には記録ヘッド２８、再生ヘッド（図示されていない）等が作りこまれている。また、アーム９には軟磁性層１５に磁界を印加するための永久磁石２０が固定されている。
【００４１】
永久磁石２０は図のように逆Ｕ字形をしており、磁界の印加方向はほぼトラック幅方向（図１１（ａ）の水平方向）となるように設定する。このとき、永久磁石２０のディスク基板１３側はスライダー２７の面より飛び出さないように配置する。また、記録ヘッド近傍直下にある軟磁性層１５の広い領域に永久磁石２０の磁界が印加されるように永久磁石２０のトラック方向の幅を広くとる。ここでは数ｍｍに設定している。なお、媒体として記録層１７、軟磁性層１５のみを示してあるが、保護膜、中間層、下地層等は省略している。
【００４２】
本実施例の鳥瞰図を図１１（ｂ）に示す。これにより、記録ヘッド２８で情報を記録層１７に書き込む前に軟磁性層１５の磁化をトラック幅方向に向けることが可能となる。永久磁石２０の印加磁界は軟磁性層１５の磁化をトラック幅方向に向けるだけであるので、数〜数十Ｏｅとし、記録ビット情報を消去しないように記録層１７、軟磁性層１５の磁気特性に合わせてその磁界の強さを決める。
【００４３】
永久磁石２０が作る磁界１２は、そのほとんどが透磁率の高い軟磁性層１５をとおり、このトラック幅方向の磁界１２が軟磁性層１５の磁化をトラック幅方向に向ける。このとき、永久磁石２０の磁界の一部は磁気ヘッドにも印加される。この磁界は記録ヘッド２８、再生ヘッドに印加される。このため、記録ヘッド２８の磁化方向（励磁していないとき）を印加磁界の方向と平行にしておくと、磁気的に安定になり問題はない。また、弱い磁界なので、記録動作にもほとんど影響を与えない。一方、再生ヘッドでは、その近傍に通常磁気シールド層を備えているので、永久磁石２０からの印加磁界は再生動作にもほとんど影響を与えない。ただし、再生ヘッドにＧＭＲヘッド等の自由層と固定層をもつヘッドを使用する場合、自由層の磁化は通常強制的にトラック幅方向に向けているので、この磁化方向と永久磁石２０からの磁界の印加方向を一致させておくと、再生ヘッドの自由層の磁化の安定性は高まる。
【００４４】
本実施例では実施例１から５と比べて軟磁性層を一定方向に磁化する領域が狭い。しかし、常に記録ヘッド２８が記録層１７の情報を再生する前に軟磁性層１５の容易方向に磁化を飽和するので、軟磁性層の磁壁が原因となる媒体ノイズを排除することができる。
【００４５】
本実施例では軟磁性層に磁界を印加する手段として永久磁石２０を使用したが、その代わりに電磁石を使用することによっても同様の効果を期待できる。
【００４６】
【発明の効果】
本発明によれば、１．垂直磁気記録媒体のノイズを低減することができる。２．軟磁性層の磁化はディスク外周、あるいは内周方向へ向いた状態を維持するので、記録ヘッドの磁界に対して高透磁率を維持することができる。これは軟磁性層の磁化方向と記録ヘッドの磁化方向がほぼ垂直になっているためである。３．ディスクを透磁率の高い磁路で囲む場合、磁路は磁気シールドの役目をはたすので、浮遊磁界などの外乱に強い磁気記録装置となる。
【図面の簡単な説明】
【図１】軟磁性層の磁化分布の説明図。
【図２】本発明の一実施例の磁気記録装置の構成を示す平面図および断面図。
【図３】本発明における磁界印加手段による軟磁性層の磁化過程の説明図。
【図４】本発明の一実施例の磁気記録装置の構成を示す斜視図。
【図５】本発明の一実施例の磁気記録装置の構成を示す斜視図および断面図。
【図６】本発明の一実施例の磁気記録装置の構成を示す断面図。
【図７】本発明の一実施例の磁気記録装置の構成を示す断面図。
【図８】本発明の一実施例の磁気記録装置の構成を示す斜視図および断面図。
【図９】本発明の一実施例の磁気記録装置の磁界印加手段とディスクの断面図。
【図１０】本発明の一実施例の磁界印加手段の構成を示す断面図。
【図１１】本発明の一実施例の磁界印加手段の構成を示す断面図および斜視図。
【符号の説明】
１…ディスク、２…軟磁性層の磁化、３…正の磁極、４…負の磁極、５…反磁界、６…逆磁区、７…磁壁、８…磁気ヘッド、９…アーム、１０…磁石、１１…磁化、１２…磁界、１３…ディスク基板、１４…下地層、１５…軟磁性層、１６…中間層、１７…記録層、１８…保護層、１９…ヘッド駆動系、２０…永久磁石、２１…磁路、２２…磁束、２３…ドーナツ状円板、２４…永久磁石薄膜、２５…ケース、２６…ディスク固定治具、２７…スライダー、２８…記録ヘッド、２９…再生ヘッド、３０…電磁石、３１…コイル、３２…サスペンション。
【図１】
2004145939.tif 000003
【図２】
2004145939.tif 000004
【図３】
2004145939.tif 000005
【図４】
2004145939.tif 000006
【図５】
2004145939.tif 000007
【図６】
2004145939.tif 000008
【図７】
2004145939.tif 000009
【図８】
2004145939.tif 000010
【図９】
2004145939.tif 000011
【図１０】
2004145939.tif 000012
【図１１】
2004145939.tif 000013